(57)【特許請求の範囲】
【請求項１】
複数のステップモータと、このステップモータで駆動される複数の指針と、複数の外部操作部材とを有し、
前記複数の各指針に対応して、所定の時間基準信号の入力パルスをカウントする第１のカウンタと、この第１のカウンタに対応して設けられた第２のカウンタと、各カウンタ値が一致しているか否かを検出する一致回路と、各カウンタ値が不一致の場合にその差に応じたパルス信号をステップモータに出力して駆動するとともに、前記第２のカウンタに入力する信号発生部とを備えるとともに、
前記外部操作部材の内の１つの外部操作部材の操作によって前記複数の指針から修正対象とする指針を選択する指針選択手段と、他の１つの外部操作部材の操作によって前記選択された指針の位置合わせを行う指針位置合わせ手段と、前記外部操作部材の操作によって修正対象として選択された指針に対し所定の移動動作を行わせて選択対象であることを表示させるために、前記複数の各指針のうち何れかが選択された際に当該指針に対応する前記第２カウンタに少なくとも１パルス入力することで当該指針を少なくとも１周させる選択対象表示手段とを有することを特徴とする指針式電子時計。
【請求項２】
請求項１に記載の指針式電子時計において、前記ステップモータの数は、前記外部操作部材の数よりも多いことを特徴とする指針式電子時計。
【請求項３】
請求項１または請求項２に記載の指針式電子時計において、
前記外部操作部材の少なくとも１つは、予め設定された複数の位置に引き出し可能とされたリューズであり、
前記指針選択手段は、前記リューズが所定のひとつの位置に引き出された際に、前記１つの外部操作部材を修正対象の指針の選択を行う選択モードに設定され、
前記指針位置合わせ手段は、前記リューズが所定のひとつの位置に引き出された際に、前記他の１つの外部操作部材を前記選択された指針を位置合わせする位置合わせモードに設定されることを特徴とする指針式電子時計。
【請求項４】
請求項３に記載の指針式電子時計において、
前記リューズが引き出される所定のひとつの位置は、リューズを回転した際に基本時計の指針の時刻修正が行われる位置であることを特徴とする指針式電子時計。
【請求項５】
請求項３または請求項４に記載の指針式電子時計において、
前記リューズは予め設定された複数の位置に引き出し可能とされ、
前記指針選択手段は、前記リューズが所定の位置に引き出された際に、第１の修正対象の指針を選択する標準選択手段と、前記リューズが前記所定の位置に引き出された状態で、前記１つの外部操作部材を操作した際に、他の修正対象の指針を順次選択する選択切替手段とを有することを特徴とする指針式電子時計。
【請求項６】
請求項３または請求項４に記載の指針式電子時計において、
前記リューズは予め設定された複数の位置に引き出し可能とされ、
前記指針選択手段は、前記リューズが所定の位置に引き出された状態で、前記１つの外部操作部材を操作した際に、修正対象の指針を順次選択する選択切替手段を有することを特徴とする指針式電子時計。
【請求項７】
請求項１〜６のいずれかに記載の指針式電子時計において、
前記複数の指針は、アラーム用指針と、クロノグラフ用指針とを備えて構成され、前記指針選択手段は、これらの指針から修正対象の指針を選択する際には、アラーム用指針を最初に選択することを特徴とする指針式電子時計。
【請求項８】
複数のステップモータと、このステップモータで駆動される複数の指針と、複数の外部操作部材と、前記複数の各指針に対応して、所定の時間基準信号の入力パルスをカウントする第１のカウンタと、この第１のカウンタに対応して設けられた第２のカウンタと、各カウンタ値が一致しているか否かを検出する一致回路と、各カウンタ値が不一致の場合にその差に応じたパルス信号をステップモータに出力して駆動するとともに、前記第２のカウンタに入力する信号発生部と、を有する指針式電子時計の操作方法であって、
前記外部操作部材の内の１つの外部操作部材の操作によって前記複数の指針から修正対象とする指針を選択し、他の１つの外部操作部材の操作によって前記選択された指針の位置合わせを行うとともに、
前記選択された指針に対し所定の移動動作を行わせて選択対象であることを表示させるために、前記複数の各指針のうち何れかが選択された際に当該指針に対応する前記第２カウンタに少なくとも１パルス入力することで当該指針を少なくとも１周させることを特徴とする指針式電子時計の操作方法。
【請求項９】
請求項８に記載の指針式電子時計の操作方法において、
前記外部操作部材の少なくとも１つとして、予め設定された複数の位置に引き出し可能とされたリューズを用い、
前記リューズが所定のひとつの位置に引き出された際に、前記１つの外部操作部材により修正対象の指針の選択を行い、他の１つの外部操作部材により選択された指針の位置合わせを行うことを特徴とする指針式電子時計の操作方法。
【請求項１０】
複数のステップモータと、このステップモータで駆動される複数の指針と、複数の外部操作部材と、前記複数の各指針に対応して、所定の時間基準信号の入力パルスをカウントする第１のカウンタと、この第１のカウンタに対応して設けられた第２のカウンタと、各カウンタ値が一致しているか否かを検出する一致回路と、各カウンタ値が不一致の場合にその差に応じたパルス信号をステップモータに出力して駆動するとともに、前記第２のカウンタに入力する信号発生部と、を有する指針式電子時計に組み込まれる指針式電子時計の制御プログラムであって、
前記指針式電子時計に組み込まれたコンピュータに、前記外部操作部材の内の１つの外部操作部材の操作によって前記複数の指針から修正対象とする指針を選択する手順と、他の１つの外部操作部材の操作によって前記選択された指針の位置合わせを行う手順と、前記選択された指針に対し所定の移動動作を行わせて選択対象であることを表示させるために、前記複数の各指針のうち何れかが選択された際に当該指針に対応する前記第２カウンタに少なくとも１パルス入力することで当該指針を少なくとも１周させる手順と、を実行させることを特徴とする指針式電子時計の制御プログラム。
【発明の詳細な説明】
【０００１】
【発明の属する技術分野】
本発明は、指針式電子時計、指針式電子時計の操作方法、指針式電子時計の制御プログラムに関し、特に、クロノグラフ用指針やアラーム用指針等、通常の時刻表示用の指針以外の指針を有する指針式電子時計に関する。
【０００２】
【背景技術】
近年においては、デジタル式電子時計だけでなく、指針式電子時計に対しても、クロノグラフ、アラーム、タイマー等の多機能付加の要求が強く、色々な多機能指針式電子時計が商品化されている。
これらの指針式電子時計では、各時針、分針、秒針等の時刻表示用の指針（基本時計の指針）の他に、クロノグラフ計測表示用の指針や、アラーム時刻設定用の指針、高度計等の各種センサを内蔵する際にその計測値を表示するための指針等を、文字盤上に専用の小窓などを設けて設定している。
【０００３】
このような各指針は、通常個別のステップモータで駆動される。例えば、時刻表示用のステップモータの他に、クロノグラフ指針、例えば、１／５秒クロノグラフ用針（１／５秒ＣＧ針）および分クロノグラフ針（分ＣＧ針）を備える場合には、各々を駆動するための２つのステップモータが別途設けられる。また、アラーム用の指針を備える場合には、その指針を駆動するためのステップモータが別途設けられ、高度計等のセンサを有する場合にはその指針を駆動するためのステップモータが別途設けられる。
【０００４】
ところで、これらの各指針のうち、時刻表示用の指針は、通常、リューズを針合わせ位置まで引き出し、その状態でリューズを回すことで基本的な時刻修正を行う。
一方、各ＣＧ針やアラーム用指針、センサ用指針等も、初期値を設定するために、位置合わせを行う必要がある。すなわち、各ＣＧ針等は、リセット操作によって０位置に戻るが、例えば電池交換などで回路が初期化された場合等、リセット操作によって戻る位置が所定の０位置からずれる場合がある。
【０００５】
このような位置ズレを修正するため、従来は、各ステップモータで駆動される指針毎にボタンを設け、修正したい指針に対応するボタンを操作することで位置ズレを修正していた。例えば、通常の時刻表示用のステップモータ以外に、１／５秒ＣＧ針、分ＣＧ針、アラーム針をそれぞれ駆動する３つのステップモータが設けられている場合には、リューズの他に３つのスイッチ（ボタン）を設け、各スイッチを操作することで各ステップモータで駆動される指針の初期位置の修正を行っていた。
【０００６】
【発明が解決しようとする課題】
しかしながら、このような指針毎にスイッチを設けると、スイッチ数が増えてムーブメントの小型薄型化を阻害したり、コストアップの要因になるという問題があった。
また、スイッチ数が増えると、修正したい指針に対応するスイッチの特定が分かりにくくなり、操作性が低下するという問題もあった。
【０００７】
本発明の目的は、指針の数が増えた場合でも、スイッチ等の外部操作部材の数を増加させる必要が無く、修正操作も容易に行うことができる指針式電子時計、指針式電子時計の操作方法、指針式電子時計の制御プログラムを提供することにある。
【０００８】
【課題を解決するための手段】
本発明の指針式電子時計は、複数のステップモータと、このステップモータで駆動される複数の指針と、複数の外部操作部材とを有し、前記外部操作部材の内の１つの外部操作部材の操作によって前記複数の指針から修正対象とする指針を選択する指針選択手段と、他の１つの外部操作部材の操作によって前記選択された指針の位置合わせを行う指針位置合わせ手段とを有することを特徴とするものである。
【０００９】
本発明では、１つの外部操作部材で修正する指針を選択し、他の１つの外部操作部材で選択した指針の位置合わせを行っているため、指針の数がいくつあっても、少なくとも２つの外部操作部材があれば、各指針を位置合わせできる。従って、指針が増えても外部操作部材の数を増やす必要が無く、ムーブメントの小型薄型化が図れるとともに、コストも低減できる。
さらに、２つの外部操作部材を操作するだけで各指針の位置合わせを行え、かつ各外部操作部材も一方は指針の選択機能、他方は選択した指針の修正機能と各外部操作部材の機能が決まっているため、操作性を向上できる。
【００１０】
ここで、前記ステップモータの数は、外部操作部材の数よりも多いことが好ましい。本発明では、例えば、ステップモータが２つしか設けられていない時計においても、修正対象指針つまりはその指針を駆動するステップモータを選択する外部操作部材と、その指針の位置合わせを行う外部操作部材との２つの外部操作部材を設けて、ステップモータと外部操作部材の数を同数にしてもよい。しかしながら、外部操作部材よりもステップモータの数を多くすれば、各ＣＧ針、アラーム指針、高度計等のセンサの計測値を示す指針等を組み込むことができ、多機能な時計を実現できる。なお、外部操作部材としてリューズを含む場合であって、リューズ以外のボタン等の外部操作部材で上記ステップモータの選択および指針の位置合わせを行う場合には、このリューズ以外の外部操作部材の数よりもステップモータの数を多くすればよい。
【００１１】
本発明の指針式電子時計において、前記外部操作部材の少なくとも１つは、予め設定された複数の位置に引き出し可能とされたリューズであり、前記指針選択手段は、前記リューズが所定のひとつの位置に引き出された際に、前記１つの外部操作部材を指針の選択モードに設定する選択モード設定手段を含み、前記指針位置合わせ手段は、前記リューズが所定のひとつの位置に引き出された際に、前記他の１つの外部操作部材を選択対象の指針の位置合わせモードに設定する位置合わせモード設定手段を含むとが好ましい。
【００１２】
リューズを所定の引き出し位置に引き出した後は、各外部操作部材のみを操作することで、指針の選択（セレクト）および位置合わせ（セット）を行うことができ、操作性を向上できる。さらに、リューズが他の引き出し位置に設定されている際に、各外部操作部材に他の機能を設定することができ、より多くの機能を実現することができる。さらに、リューズを明示的に移動した場合のみ、前記指針選択や指針修正機能が働くため、誤操作を少なくでき、利用者が理解しやすい動作を行うことができる。
【００１３】
ここで、前記リューズが引き出される所定のひとつの位置は、リューズを回転した際に基本時計の指針の時刻修正が行われる位置であることが好ましい。
このように構成すれば、リューズを所定の引き出し位置に引き出した際に、リューズを回転させると、基本時計の指針の時刻修正を行うことができ、各外部操作部材を操作すると、他の指針の位置合わせを行うことができる。従って、指針の修正操作を行う際のリューズの引き出し位置を１つにできるため、利用者にとって覚え易くすることができる。このため、指針の修正操作という、頻度の少ない操作であっても、その操作性を向上できる。
【００１４】
本発明の指針式電子時計は、前記外部操作部材の操作によって修正対象として選択された指針に対し、所定の移動動作を行わせて選択対象であることを表示させる選択対象表示手段を有することを要件とする。
ここで、選択対象表示手段による前記所定の移動動作とは、その指針を現在位置より移動させ、再び現在位置に戻すことであることが好ましく、特に、その指針を少なくとも１周させる動作を行うことが好ましい。
【００１５】
修正対象とされた指針が、例えば針が１周したり、所定角度で前後に移動するなどの所定の移動動作を行えば、現在選択中の指針を容易に確認でき、修正操作を容易に行うことができる。この際、移動した指針を現在位置に戻すようにすれば、修正した指針以外は元の位置に戻すことができるので、どの指針を修正したかが把握しやすくなり、操作性を向上できる。
さらに、指針を１周させる動作を行えば、選択された指針の把握が非常に容易になるとともに、その駆動にはステップモータに指針を１周させる信号を入力するだけでよいので、駆動制御が簡単になる。
選択対象表示のために指針は２周以上の複数回周回させてもよい。但し周回が増えると、動作時間が長くなるため、表示目的のためには目立つという利点があるが、次の作業を待つことになる可能性もある。このため、周回は１周あるいは２周程度が好ましいといえる。
【００１６】
本発明では、前述した選択対象表示を行うために、前記各指針に対応して、所定の時間基準信号の入力パルスをカウントする第１のカウンタと、この第１のカウンタに対応して設けられた第２のカウンタと、各カウンタ値が一致しているか否かを検出する一致回路と、各カウンタ値が不一致の場合にその差に応じたパルス信号をステップモータに出力して駆動するとともに、前記第２のカウンタに入力する信号発生部とを備えるとともに、前記選択対象表示手段は、各指針が選択された際に、前記第２カウンタに少なくとも１パルス入力することで、指針を少なくとも１周させるように構成されるものとする。
このように構成すれば、選択された指針を１周させるのに、第２のカウンタに１パルス入力するだけでよいので、非常に簡単な構造にできる。１周するために入力するパルスは１パルスで十分であるが、複数パルス入力してもよい。指針を複数回周回させる場合、先の周回が完了するのを待って次のパルスを入力する構成とする。
【００１７】
本発明の指針式電子時計において、前記リューズは予め設定された複数の位置に引き出し可能とされ、前記指針選択手段は、前記リューズが所定の位置に引き出された際に、第１の修正対象の指針を選択する標準選択手段と、前記リューズが所定の位置に引き出された状態で、前記１つの外部操作部材を操作した際に、他の修正対象の指針を順次選択する選択切替手段とを有することが好ましい。
リューズを所定の位置に引き出すだけで、まず第１の修正対象の指針が選択されるようにすれば、指針の選択操作を少なくでき、特に、第１の修正対象が頻度の高いアラーム針等であれば、修正時の操作性を向上できる。
【００１８】
本発明の指針式電子時計において、前記リューズは予め設定された複数の位置に引き出し可能とされ、前記指針選択手段は、前記リューズが所定の位置に引き出された状態で、前記１つの外部操作部材を操作した際に、修正対象の指針を順次選択する選択切替手段とを有する構成としてもよい。
この場合には、第１の外部操作部材で修正対象の指針を選択をした後に、第２の外部操作部材で選択した指針の位置合わせ修正を行うという操作が一定しているため、利用者が修正操作を把握しやすい利点がある。
【００１９】
前記複数の指針は、アラーム用指針と、クロノグラフ用指針とを備えて構成され、前記指針選択手段は、これらの指針から修正対象の指針を選択する際には、アラーム用指針を最初に選択することが好ましい。
クロノグラフ用指針などは、電池交換時等にリセット位置がずれた場合のみ、位置合わせ操作を行えばよく、その頻度はあまり多くない。これに対し、アラーム用指針は、通常の時刻表示用指針とは別時計であるため、例えば現時刻に時差を持たせたワールドタイム機能等のアラーム機能以外の機能を持たせることができる。このため、アラーム指針の現在時刻への位置合わせ操作を前記各外部操作部材で行うようにした場合に、そのアラーム針の修正操作はＣＧ針の修正操作に比べて頻度が高くなる。従って、リューズを引き出した際に、最初にアラーム指針を修正対象として選択できるようにしておけば、修正操作の効率化が図れる。
【００２０】
本発明の操作方法は、複数のステップモータと、このステップモータで駆動される複数の指針と、複数の外部操作部材とを有する指針式電子時計の操作方法であって、前記外部操作部材の内の１つの外部操作部材の操作によって前記複数の指針から修正対象とする指針を選択し、他の１つの外部操作部材の操作によって前記選択された指針の位置合わせを行うことを特徴とする。
【００２１】
本発明では、１つの外部操作部材で修正する指針を選択し、他の１つの外部操作部材で選択した指針の位置合わせを行っているため、指針の数がいくつあっても、少なくとも２つの外部操作部材があれば、各指針を位置合わせできる。従って、指針が増えても外部操作部材の数を増やす必要が無く、ムーブメントの小型薄型化が図れるとともに、コストも低減できる。
さらに、２つの外部操作部材を操作するだけで各指針の位置合わせを行え、かつ各外部操作部材も一方は指針の選択機能、他方は選択した指針の修正機能と各外部操作部材の機能が決まっているため、操作性を向上できる。
【００２２】
本発明の操作方法において、前記外部操作部材の少なくとも１つとして、予め設定された複数の位置に引き出し可能とされたリューズを用い、前記リューズが所定のひとつの位置に引き出された際に、前記１つの外部操作部材により修正対象の指針の選択を行い、他の１つの外部操作部材により選択された指針の位置合わせを行うことが望ましい。
【００２３】
リューズを所定の引き出し位置に引き出した後は、各外部操作部材のみを操作することで、指針の選択（セレクト）および位置合わせ（セット）を行うことができ、操作性を向上できる。さらに、リューズが他の引き出し位置に設定されている際に、各外部操作部材に他の機能を設定することができ、より多くの機能を実現することができる。さらに、リューズを明示的に移動した場合のみ、前記指針選択や指針修正機能が働くため、誤操作を少なくでき、利用者が理解しやすい動作を行うことができる。
【００２４】
本発明の操作方法では、前記外部操作部材の操作によって修正対象として選択された指針に対して、所定の移動動作を行わせて、選択対象であることを表示させることが要件となる。
修正対象とされた指針が、例えば針が１周したり、所定角度で前後に移動するなどの所定の移動動作を行えば、現在選択中の指針を容易に確認でき、修正操作を容易に行うことができる。この際、移動した指針を現在位置に戻すようにすれば、修正した指針以外は元の位置に戻すことができるので、どの指針を修正したかが把握しやすくなり、操作性を向上できる。
【００２５】
本発明の制御プログラムは、複数のステップモータと、このステップモータで駆動される複数の指針と、複数の外部操作部材とを有する指針式電子時計に組み込まれて各指針の修正操作を行うための指針式電子時計の制御プログラムであって、前記指針式電子時計に組み込まれたコンピュータに、前記外部操作部材の内の１つの外部操作部材の操作によって前記複数の指針から修正対象とする指針を選択する手順と、他の１つの外部操作部材の操作によって前記選択された指針の位置合わせを行う手順と、を実行させることを特徴とする。
【００２６】
本発明では、１つの外部操作部材で修正する指針を選択し、他の１つの外部操作部材で選択した指針の位置合わせを行っているため、指針の数がいくつあっても、少なくとも２つの外部操作部材があれば、各指針を位置合わせできる。従って、指針が増えても外部操作部材の数を増やす必要が無く、ムーブメントの小型薄型化が図れるとともに、コストも低減できる。
【００２７】
さらに、２つの外部操作部材を操作するだけで各指針の位置合わせを行え、かつ各外部操作部材も一方は指針の選択機能、他方は選択した指針の修正機能と各外部操作部材の機能が決まっているため、操作性を向上できる。
さらに、上述のような修正操作機能をソフトウェアにより提供できるため、機能の変更等が容易であるとともに、既に市場に提供された時計についてもプログラム差替え等により機能改訂を容易に行うことができる。
【００２８】
本発明の制御プログラムにおいて、前記指針式電子時計は、前記外部操作部材の少なくとも１つとして、予め設定された複数の位置に引き出し可能とされたリューズを備えているとともに、前記指針式電子時計に組み込まれたコンピュータに、前記リューズが所定のひとつの位置に引き出された際に、前記１つの外部操作部材で修正対象の指針の選択を行う手順と、前記リューズが所定のひとつの位置に引き出された際に、前記他の１つの外部操作部材を前記選択された指針を位置合わせする手順と、を実行させることが望ましい。
【００２９】
リューズを所定の引き出し位置に引き出した後は、各外部操作部材のみを操作することで、指針の選択（セレクト）および位置合わせ（セット）を行うことができ、操作性を向上できる。さらに、リューズが他の引き出し位置に設定されている際に、各外部操作部材に他の機能を設定することができ、より多くの機能を実現することができる。さらに、リューズを明示的に移動した場合のみ、前記指針選択や指針修正機能が働くため、誤操作を少なくでき、利用者が理解しやすい動作を行うことができる。
【００３０】
本発明の制御プログラムでは、前記指針式電子時計に組み込まれたコンピュータに、前記外部操作部材の操作によって修正対象として選択された指針に対して、所定の移動動作を行わせて、選択対象であることを表示させる手順を実行させることが要件となる。
修正対象とされた指針が、例えば針が１周したり、所定角度で前後に移動するなどの所定の移動動作を行えば、現在選択中の指針を容易に確認でき、修正操作を容易に行うことができる。この際、移動した指針を現在位置に戻すようにすれば、修正した指針以外は元の位置に戻すことができるので、どの指針を修正したかが把握しやすくなり、操作性を向上できる。
【００３１】
【発明の実施の形態】
以下に、本発明の実施形態を図面に基づいて説明する。
図１に示すように、指針式電子時計１は、通常の時刻表示を行う時針１１、分針１２、小秒針１３を備えている。小秒針１３は、時計１の中心軸に対し文字盤の９時方向にずれた位置に配置されている。
【００３２】
また、指針式電子時計１には、前記時針１１、分針１２と同軸上に配置され、１／５秒刻みのクロノグラフ秒表示を行う１／５秒ＣＧ針（１／５秒クロノグラフ針）１５と、時計１の中心軸に対し１２時方向にずれた位置に配置され、１分刻みのクロノグラフ分表示を行う分ＣＧ針（分クロノグラフ針）１６とが設けられている。さらに、時計１には、時計１の中心軸に対し６時方向にずれた位置に配置されたアラーム時針１７およびアラーム分針１８が設けられている。
また、指針式電子時計１には、外部操作部材であるリューズ５と、同じく外部操作部材であるＡボタン（スイッチＡ、ＳＷＡ）６およびＢボタン（スイッチＢ、ＳＷＢ）７とが設けられている。また、指針式電子時計１には、電子ブザー等の音響等を用いるアラーム１９が内蔵されている。
【００３３】
図２に示すように、各指針１１〜１３，１５〜１８は、４つのステップモータでそれぞれ駆動されている。すなわち、前記時針１１、分針１２、小秒針１３はステップモータＭ９で駆動され、分ＣＧ針１６はステップモータＭ０で駆動され、１／５秒ＣＧ針１５はステップモータＭＣで駆動され、アラーム分針１８およびこれに連動するアラーム時針１７はステップモータＭ６で駆動される。
具体的には、これらの各ステップモータは、駆動パルス発生回路２１〜２４に所定のパルスを入力することで、各モータドライバ２５〜２８を介して駆動される（図３参照）。
これらの各ステップモータによって各指針１１〜１８を駆動する駆動機構（輪列等）の構成は、特許第２９９８７４９号公報に開示された従来技術と同様のため、説明を省略する。
【００３４】
これらの各ステップモータの駆動制御を行うために、指針式電子時計１には駆動制御回路２０が内蔵されている。
駆動制御回路２０は、通常は水晶発振回路３１（図３参照、詳細は後述）からの駆動信号に基づいて各ステップモータの駆動を行うものであり、ステップモータＭ９を介して時針１１、分針１２、小秒針１３を駆動制御する基本指針駆動制御部２０１と、ステップモータＭ０を介して分ＣＧ針１６を駆動する分ＣＧ針駆動制御部４０と、ステップモータＭＣを介して１／５秒ＣＧ針１５を駆動する１／５ＣＧ針駆動制御部５０とを備えている。
【００３５】
駆動制御回路２０はアラーム制御手段を兼ねており、アラーム制御部としてのアラーム針駆動制御部６０を備え、ステップモータＭ６を介してアラーム用指針であるアラーム時針１７およびアラーム分針１８の調整を含むアラーム設定を行うとともに、所定の設定時刻にアラーム１９を鳴音させる制御を行う。
【００３６】
駆動制御回路２０は、時間表示を行う各指針１１〜１３，１５〜１８の調整を行うために、外部操作部材（リューズ５、Ａボタン６、Ｂボタン７）の内の１つの操作によって修正対象とする指針を選択する指針選択手段２０２と、他の何れかの操作によって選択された指針の位置合わせを行う指針位置合わせ手段２０３とを備えている。
【００３７】
このような指針選択手段２０２および指針位置合わせ手段２０３の操作を行うために、指針式電子時計１にはスイッチ制御部７０が内蔵されている。
スイッチ制御部７０は、外部操作部材（リューズ５、Ａボタン６、Ｂボタン７）の操作を受付けるものであり、リューズ５の引き出し位置（０段目、１段目、２段目）を識別するリューズ位置検出部７０１と、Ａボタン６の押込み操作を検出するスイッチＡ検出部７０２と、Ｂボタン７の押込み操作を検出するスイッチＢ検出部７０３と、を備えている。そして、スイッチ制御部７０は、外部からの操作状況に応じた信号を駆動制御回路２０に送り、各種調整等の操作が行われるようになっている。
【００３８】
従って、何れかの外部操作部材の操作（例えばリューズ５の引き出し）により、指針選択手段２０２が修正対象とする指針（分ＣＧ針１６、１／５秒ＣＧ針１５、アラーム時刻を示す指針１７〜１８）を選択し、他の外部操作部材の操作（例えばＡボタン６の押込み）により指針位置合わせ手段２０３が選択した指針の調整等を行う。
この際、どの指針が操作対象かを表すために、駆動制御回路２０には選択対象表示手段２０４が設置されている。選択対象表示手段２０４は、例えば選択された指針を一回転させる等により、特別な表示手段を用いることなく操作対象が解るようになっている。
【００３９】
更に、指針選択手段２０２には選択切替手段２０６が設置され、調整する指針の選択にあたっては、選択対象の指針が同じ操作で順次切り替わるようになっている。
また、指針選択手段２０２には標準選択手段２０５が設置され、通常の表示状態から指針の調整に入るための最初の選択時には、予め定められた特定の選択対象（例えばアラーム指針）を選択するようになっている。
【００４０】
なお、指針式電子時計１において、前述した駆動制御回路２０の各部および各手段、スイッチ制御部７０の各部は、例えば後述する論理回路を主体としたハードウェア的な構成としてもよい。この際、前述した各部および各手段は一部が他の部分等で兼用または共用されるようにしてもよい。一方、指針式電子時計１に機器組込用の小型コンピュータシステムを内蔵し、このコンピュータシステムで制御プログラムを実行させて前述した各部および各手段をソフトウェア的に実現するものであってもよく、このようなソフトウェア構成と前述した論理回路による構成との組合せとしてもよい。
【００４１】
次に、図３および図４の制御ブロック図を参照して、各ステップモータの具体的な駆動制御に関して説明する。
各ステップモータの駆動制御回路２０は、時間基準信号を出力する水晶発振回路（ＯＳＣ）３１を備えている。水晶発振回路３１からの発振信号は、第１分周回路（ＤＩＶ１）３２、第２分周回路（ＤＩＶ２）３３で分周されて１Ｈｚの信号とされ、駆動パルス発生回路２１に入力される。
【００４２】
駆動パルス発生回路２１では、前記１Ｈｚの信号入力に対応してモータドライバ２５に駆動パルスを出力し、ステップモータＭ９を駆動する。これにより、小秒針１３は１秒分（１パルス分）移動する。また、分針１２および時針１１は、小秒針１３の移動に連動して移動する。
なお、モータドライバ２５は、ステップモータＭ９の回転検出も行い、その情報を駆動パルス発生回路２１にフィードバックする。駆動パルス発生回路２１は、ステップモータＭ９が非回転の場合には、再度駆動パルスを発生させてステップモータＭ９を回転駆動するようにされている。これらにより基本指針駆動制御部２０１の機能が実現されている。
【００４３】
第２分周回路３３の出力信号１Ｈｚは、論理緩急回路３４にも入力されている。論理緩急回路３４は、発振回路３１で出力される時間基準信号の絶対時間からのズレについて補正するために、時間基準信号又は基本信号たる被分周信号（本実施形態では第１分周回路３２の出力信号）を所定の補正周期（緩急周期）毎に必要な補正量（緩急量）だけ伸縮させるデジタル緩急を行うものであり、本実施形態では１０秒毎に第１分周回路３２に信号を出力するようにされている。
【００４４】
第１分周回路３２の出力は、第３分周回路（ＤＩＶ３）３５にも入力されている。第３分周回路３５は、５Ｈｚの信号を出力し、この信号は１／５秒ＣＧ針駆動制御部５０に入力される。
また、後述するように、１／５秒ＣＧ針駆動制御部５０からの１分毎のパルス信号は分ＣＧ針駆動制御部４０に入力される。
さらに、前記論理緩急回路３４から１０秒毎に出力される信号は、分アラームカウンタ３６にも入力されている。分アラームカウンタ３６は、３ビットで６進のカウンタとされ、１０秒毎の信号が６パルス入力される毎、つまり１分毎にパルス信号をアラーム針駆動制御部６０に出力する。
【００４５】
そして、これらの各駆動制御部４０，５０，６０からのパルス信号が前記駆動パルス発生回路２２〜２４に入力されて、各ステップモータの駆動を制御している。さらに、アラーム針駆動制御部６０からはアラーム音発生回路２９にも信号が出力され、アラームドライバ３０によってアラームを鳴らすようにされている。
【００４６】
分ＣＧ針駆動制御部４０は、図４に詳述するように、分ＣＧカウンタ４１、分ＣＧ針０位置カウンタ４２、第１ラッチ回路４３、第１一致回路４４、第１制御回路４５を備えている。
同様に、１／５秒ＣＧ針駆動制御部５０は、１／５秒ＣＧカウンタ５１、１／５秒ＣＧ針０位置カウンタ５２、第２ラッチ回路５３、第２一致回路５４、第２制御回路５５を備えている。
【００４７】
さらに、アラーム針駆動制御部６０は、分・時アラームカウンタ６１、分・時アラーム針０位置カウンタ６２、第３ラッチ回路６３、第３一致回路６４、第３制御回路６５を備えている。なお、本実施形態では、第３ラッチ回路６３は常時非ラッチ状態とされて必要ないが、アラーム針１７，１８の代わりに時ＣＧ針を設けた際にも兼用できるように残されている。
【００４８】
１／５秒ＣＧ秒カウンタ５１は、図５にも示すように、９ビットのカウンタで構成され、かつカウンタ値が「３００」になるとリセット端子Ｒに信号を入力してカウンタをリセットする３００進のカウンタとされている。従って、クロック入力に５Ｈｚの信号が３００パルス入力される毎に、つまり１分間を計数可能とされている。そして、この１分毎に所定のパルス信号（ＣＧ１分）を前記分ＣＧカウンタ５３に出力している。同様に、１／５秒ＣＧ針０位置カウンタ５２も９ビット、３００進のカウンタとされている。
【００４９】
また、分ＣＧカウンタ４１は、６ビットで６０進のカウンタとされている。従って、１分毎のパルス信号が６０パルス入力される毎、つまり１時間の計数が可能とされている。分ＣＧカウンタ４１からは１時間毎にパルス信号が出力され、４ビット１２進の１２時間検出カウンタ３７に入力されている。この１２時間検出カウンタ３７で１２時間経過を検出した場合、つまりストップウォッチ（クロノグラフ）の計測時間が１２時間になった場合には、自動的に計測をストップし、リセットを行い、各１／５秒ＣＧ針１５、分ＣＧ針１６をリセット状態に戻すようにされている。
分ＣＧ針０位置カウンタ４２は、分ＣＧカウンタ４１と同様に、６ビットで６０進のカウンタとされている。
【００５０】
分・時アラームカウンタ６１は、１０ビットで７２０進のカウンタとされ、分アラームカウンタ３６からの１分毎の信号を７２０パルス計測できるように、つまり７２０分（６０分×１２時間）までカウントできるようにされている。
分・時アラーム針０位置カウンタ６２も、同様に１０ビットで７２０進のカウンタとされている。
【００５１】
各制御回路４５，５５，６５は、各カウンタ４１，４２，５１，５２，６１，６２が設定されたカウンタ値になった際にこれらをリセットするとともに、各一致回路４４，５４，６４の出力やリューズ位置信号、ＳＷＡ，ＳＷＢ信号などに応じて各駆動パルス発生回路２２〜２４に所定のパルス信号（例えば１２８Ｈｚのパルス信号）を出力するように構成されている。
一例として、制御回路５５は、図５に示すように、各カウンタ５１，５２が設定されたカウンタ値になった際にリセットするための、ＮＯＲゲート８１等からなるリセット処理部８０と、フリップフロップ８２やＡＮＤゲート８３等からなり、一致回路５４の出力やリューズ位置信号、ＳＷＡ，ＳＷＢ信号などに応じて駆動パルス発生回路２３（図３，図４参照）に所定のパルス信号（例えば１２８Ｈｚのパルス信号）を出力する信号発生部８５とを備えて構成されている。
他の制御回路４５，６５も同様の構成とされている。
【００５２】
また、リューズ５やＡボタン（ＳＷＡ）６、Ｂボタン（ＳＷＢ）７の操作は、図３に示すように、スイッチ制御部７０で検出される。そして、リューズ位置及び各スイッチ操作に応じて、リセット信号、スプリット信号、リューズ位置信号、０セット信号（０ｓｅｔ１〜０ｓｅｔ３）などが出力され、図６に示すような、各機能が実行されるように構成されている。
【００５３】
なお、リューズ５は、０段目（ＲＭ０）、１段目（ＲＭ１）、２段目（ＲＭ２）の３段階に引き出し可能とされ、その引き出し位置は、スイッチＲＭ１およびスイッチＲＭ２がＯＮ状態であるかＯＦＦ状態であるかで検出される。すなわち、リューズ５が０段目の場合にはスイッチＲＭ１，ＲＭ２ともにＯＦＦとされ、１段目の場合にはスイッチＲＭ１のみがＯＮとされ、２段目の場合にはスイッチＲＭ２のみがＯＮとされる。
また、Ａボタン６を押すとスイッチＡ（ＳＷＡ）がＯＮされ、Ｂボタン７を押すとスイッチＢ（ＳＷＢ）がＯＮされるように構成されている。
【００５４】
次に、本実施形態における動作を図７のタイミングチャートも参照して説明する。
（リューズ回転機能）
リューズ５の回転機能は、通常の時計と同様であり、図６に示すように、０段目では回転させてもフリーであり、１段目では右回転で日修正が行われ、２段目では時針１１、分針１２、小秒針１３の基本時計の針合わせが行われる。
【００５５】
（クロノグラフスタート、ストップ）
リューズ５が０段目の時、初期状態では、第３分周回路３５、各カウンタ４１，５１はスイッチ制御部７０からリセット信号が入力されてリセット状態とされている。そして、Ａボタン６（ＳＷＡ）を押すと、そのリセット状態が解除されてクロノグラフ機能がスタートする。
すると、第３分周回路３５から５Ｈｚの信号が１／５秒ＣＧ秒カウンタ５１に入力され、カウンタ５１のカウンタ値は、１／５秒毎に１つずつアップする。カウンタ５１のカウンタ値が１つ増えると、ラッチ状態にされていない第２ラッチ回路５３は、カウンタ５１の値をそのままスルーする。そして、第２ラッチ回路５３と１／５秒ＣＧ針０位置カウンタ５２の値を比較する第２一致回路５４では、値が不一致になるために、その出力ＣＯＵＴ２からはＨレベル信号がフリップフロップ８２に入力される。このため、フリップフロップ８２の出力ＱがＨレベル信号となり、ＡＮＤゲート８３、ＯＲゲート８４を介して１２８Ｈｚのパルス信号が出力される。
【００５６】
このパルス信号は、カウンタ５２のクロック入力に入力されるとともに、駆動パルス発生回路２３に送られる。カウンタ５２は、信号入力によってカウンタ値が１アップし、第２ラッチ回路５３の値と一致するため、出力ＣＯＵＴ２はＬレベル信号に変化し、フリップフロップ８２の出力ＱもＬレベル信号となり、１２８Ｈｚのパルス信号の出力が停止する。すなわち、１２８Ｈｚのパルス信号は１パルス分のみ出力され、この信号が入力される駆動パルス発生回路２３によって、１／５秒ＣＧ針１５が１パルス分移動する。
以上の動作を繰り返すことで、１／５秒ＣＧ針１５は１／５秒ごとに移動し、３００パルスつまり１分で１周する。なお、１／５秒ＣＧ針１５は１パルス毎に、角度（３６０／３００）度、つまり１．２度の角度で移動する。
【００５７】
また、分ＣＧ針駆動制御部４０では、分ＣＧカウンタ４１に１／５秒ＣＧ秒カウンタ５１から１分ごとにパルス信号が入力されてカウンタ５２との値が不一致になり、１／５秒ＣＧ針駆動制御部５０と同様の処理によって分ＣＧ針１６が１パルス分移動する。なお、分ＣＧ針１６はＣＧ１分が６０パルス入力されると、つまり１時間で１周するため、１パルス毎に（３６０／６０）度、つまり６度の角度で移動する。
そして、再度Ａボタン６を押すと、クロノグラフはストップする。
【００５８】
（スプリット、スプリット解除）
クロノグラフのスタート後、Ｂボタン７を押すとスプリット状態になる。この状態では、各第２ラッチ回路４３，５３がラッチ状態とされてその出力値がラッチ時に維持される。このため、各カウンタ４２，５２の値とも一致した状態に維持され、各１／５秒ＣＧ針１５、分ＣＧ針１６は停止状態となる。但し、各カウンタ４１，５１にはパルス信号の入力が継続するため、各カウンタ値は加算され続ける。
ここで、再度Ｂボタン７を押してスプリットを解除すると、各カウンタ４１，５１つまりラッチ回路４３，５３の値と、カウンタ４２，５２の値とはそれぞれラッチ状態の経過時間分だけ差がある。このため、その差が一致するまで、各カウンタ４２，５２には１２８Ｈｚの早送りパルスが入力される。この早送りパルスは、駆動パルス発生回路２３，２４にも入力され、前記各カウンタ４１，５１とカウンタ４２，５２との値が一致するまでは、各１／５秒ＣＧ針１５、分ＣＧ針１６が早送りされ、現在の各カウンタ４１，５１で指示される経過時間となる位置まで移動する。その後は、通常のクロノグラフ機能の移動に戻る。これにより、スプリットとその解除が行われる。
【００５９】
（クロノグラフリセット）
クロノグラフがストップしている状態で、Ｂボタン７を押すとクロノグラフがリセットされる。リセット状態になると、各カウンタ４１，５１がリセットされて「０」となり、各針１５，１６は、各カウンタ４２，５２がカウンタ値「０」となるまで、１２８Ｈｚの早送りパルスで早送りされ、０位置に戻る。
【００６０】
（アラーム時刻セット）
リューズ５を１段目に引き出した状態（ＲＭ１がＯＮ）で、Ｂボタン７を押す毎に、パルス信号が駆動パルス発生回路２２および分・時アラーム針０位置カウンタ６２に入力され、各指針１７，１８およびカウンタ６２の値が変化し、アラーム時刻セット状態になる。このＢボタン７を押す操作を、各指針１７，１８がアラームを設定したい時刻に移動するまで行うことで、アラーム時刻セットが行われる。
また、ＲＭ１がＯＮの状態で、Ｂボタン７を押し続けると、パルス信号が連続して入力され、各指針１７，１８が早送りされる。そして、各指針１７，１８が現時刻に一致すると、その早送り（運針）は停止し、アラームセットも解除される。さらに、Ｂボタン７を押すと、指針１７，１８が再度移動し、アラーム時刻セット操作が継続される。
【００６１】
（アラーム音発生）
アラーム時刻をセットした後、リューズ５を０段目に押し込んで通常の運針状態にすると、カウンタ６１には分アラームカウンタ３６から１分毎にパルス信号が入力されるため、現時刻に対応する値に変化する。一方、第３一致回路６４が不一致であっても、第３制御回路６５から駆動パルス発生回路２２やカウンタ６２にはパルス信号が出力されず、カウンタ６２の値や指針１７，１８は同じ状態に維持される。そして、カウンタ６１の値がカウンタ６２に一致して第３一致回路６４から一致信号が出力されると、アラーム音発生回路２９に信号が発せられてアラームが鳴る。
【００６２】
（位置合わせ操作：指針選択操作）
リューズ５を２段目に引き出すと位置合わせモードに移動する。本実施形態では、位置合わせモードに移行すると、各カウンタ４１，５１はリセット状態に維持され、前記クロノグラフリセットと同様に、各指針１５，１６は０位置に戻る。また、アラーム時針１７、分針１８は、前記アラーム現時刻一致操作と同じく現時刻に一致する。これらにより指針選択手段２０２の機能が実現されている。そして、本実施形態では、図７に示すように、最初にアラーム現時刻合わせモードに自動的に移行する。これにより標準選択手段２０５の機能が実現されている。但し、この最初の１回だけは、後述するような選択された指針を１周させる処理は行われない。
【００６３】
まず、最初はアラーム現時刻合わせモードとなる。アラーム時刻の設定は、分・時アラーム針０位置カウンタ６２に設定されるが、本実施形態において、この設定値は、現時刻のデータがセットされる分・時アラームカウンタ６１との相対値で設定される。このため、アラームをセットする場合には、まず、アラーム時針１７、アラーム分針１８を、現時刻に一致させる必要がある。
リューズ５を２段目に引き出すと、カウンタ６１の値にカウンタ６２の値が一致するまで、そのカウンタ値の差に応じた早送りパルスが出力され、ステップモータＭ６が駆動される。ここで、カウンタ６１とカウンタ６２の値が一致しても、現時刻とアラーム現時刻の指針表示が同一でない場合には、Ｂボタン７でアラーム現時刻が現時刻に合うように修正する。すなわち、Ｂボタン７により修正操作された数だけ、ステップモータＭ６が駆動される。この時は、カウンタ６２にはパルスは入力されない。なお、リューズ５が２段目（ＲＭ２）状態では、アラーム時刻セットはリセットされる。
【００６４】
リューズ５を２段目に引き出してアラーム現時刻合わせモードとなった後、Ａボタン６を１〜２秒間押して離す度に、分ＣＧ０位置合わせモード、１／５秒ＣＧ０位置合わせモード、アラーム現時刻合わせモードの３つのモードに順次切り替わる。これらにより選択切替手段２０６の機能が実現されている。
このモード切替に連動し、例えば、１／５秒ＣＧ０位置合わせモードに切り替わると、カウンタ５２のクロック入力にワンショットのＨレベル信号（０ｓｅｔ１）が入力される。すると、カウンタ５１つまりラッチ回路５３の値と同一であったカウンタ５２の値が「＋１」され、ラッチ回路５３の値と不一致になり、出力ＣＯＵＴ２がＨレベル信号に変化して１２８Ｈｚの早送りパルスが出力される。
この早送りパルスはカウンタ５２のクロック入力に入力してカウンタ５２の値を加算し、その値がラッチ回路５３の値に一致するまで、つまり最初のワンショットを含めて３００パルス分出力されるため、１／５秒ＣＧ針１５は１周早送りされる。
【００６５】
同様に、分ＣＧ０位置合わせモードや、アラーム現時刻合わせモード（リューズ５を２段目に引き出した直後の第１回目以外）に切り替わったときも、０ｓｅｔ３や０ｓｅｔ２の出力が各カウンタ４２，６２に入力されることで、各分ＣＧ針１６（６０パルスで１周）、アラーム時針１７およびアラーム分針１８（７２０パルスで時針１７は１周、分針１８は１２周）も各々早送りされる。
これにより、操作者は現在、どの指針１５〜１８が選択対象とされているかを容易に視認できるようにされている。これらにより選択対象表示手段２０４の機能が実現されている。
【００６６】
（位置合わせ操作：指針セット操作）
各指針１５〜１８が選択された後、Ｂボタン７を押すと、その打鍵回数分のパルス信号が各モードで選択された指針１５〜１８の駆動パルス発生回路２２〜２４に入力され、各指針を１パルス分毎、移動して修正することができる。これにより、１／５秒ＣＧ針１５および分ＣＧ針１６は０位置（通常、時計の１２時方向）に対する位置ズレの修正が行われ、アラーム時針１７、分針１８は現時刻に対する位置のズレが修正される。これらにより指針位置合わせ手段２０３の機能が実現されている。
【００６７】
このような本実施形態によれば、次のような効果がある。
（１）  １つの外部操作部材であるＡボタン６で修正する指針を選択し、他の１つの外部操作部材であるＢボタン７で選択した指針の位置合わせを行うことができるため、修正対象となる指針１５〜１８の数（ステップモータの数）が３つ以上であっても、２つのボタン６，７で各指針１５〜１８の位置合わせを行うことができる。従って、指針（ステップモータ）が増えても外部操作部材の数を増やす必要が無く、ムーブメントを小型薄型化でき、コストも低減できる。
【００６８】
（２）  ２つのボタン６，７の内、ボタン６は指針の選択機能、ボタン７は選択した指針の位置合わせ機能と各ボタン６，７の機能が決まっているため、利用者が理解しやすく、操作性を向上できる。
（３）  さらに、ボタン６，７の数を増やす必要がないため、その分、ムーブメント内のスペースに余裕ができるため、ステップモータや指針、センサ等を適宜組み込んで、クロノグラフ機能、アラーム機能、高度計等のセンサ機能等の様々な機能を組み込むことができる。このため、多機能の時計を大型化することなく実現することができる。
【００６９】
（４）  指針の位置合わせ操作は、リューズ５を２段目に引き出した際に行われるようにしたので、リューズ５を他の引き出し位置に移動して位置合わせ操作を続行する必要が無く、操作性を向上することができる。
さらに、リューズ５が他の引き出し位置（０段目や１段目）に設定されている際に、各ボタン６，７には、クロノグラフのスタート、ストップ、アラームセット等の他の機能を設定でき、ボタン６，７を増やすことなく、多くの機能を実現することができる。
その上、リューズ５を明示的に２段目に移動した場合のみ、前記指針選択や指針修正機能が働くため、誤操作を少なくでき、利用者にとって扱いやすい時計にすることができる。特に、リューズ５の２段目は、時針１１、分針１２、小秒針１３の基本時計の針合わせを行う位置でもあるため、各指針１１〜１３，１５〜１８の位置合わせを、リューズ５の２段目という１つの引き出し位置で共用して行うことができ、利用者にとって覚え易くすることができる。このため、指針の修正操作という、頻度の少ない操作であっても、その操作性を向上できる。
【００７０】
（５）  また、修正対象の指針１５〜１８を選択した際に、その指針１５〜１８が１周回転するようにしたので、選択された指針を容易に把握できて修正作業を効率よく行うことができる。
さらに、指針を１周させるには、各カウンタ４２，５２，６２にパルス信号を１つ入力するだけでよいため、駆動制御が簡単になり、かつコスト増加も抑えることができる。
【００７１】
（６）  リューズ５を２段目に引き出すだけで、アラーム時針１７、アラーム分針１８が自動的に選択されるため、指針の選択操作を少なくでき、修正時の操作性を向上できる。
（７）  さらに、最初に選択される修正対象を修正頻度の高いアラーム針１７，１８にしたので、修正操作を非常に効率化できる。
【００７２】
なお、本発明は各実施形態に限定されるものではなく、本発明の目的を達成できる範囲での変形、改良等は、本発明に含まれるものである。
例えば、前記実施形態では、リューズ５を２段目に引き出すだけで、アラーム針１７，１８が選択されるように設定していたが、例えば、図８のタイミングチャートに示すように、リューズ５を２段目に引き出した後に、ボタン６を押すことで、修正対象の指針が順次選択されるように設定されていてもよい。
この場合には、ボタン６で修正対象の指針を選択をした後に、ボタン７で選択した指針の位置合わせを行うという操作が一定している点で、利用者にとって操作を把握しやすいという利点もある。
また、前記実施形態では、最初にアラーム指針１７，１８が選択されるようにしていたが、１／５秒ＣＧ針１５や分ＣＧ針１６が最初に選択されるようにしてもよい。
【００７３】
さらに、前記実施形態では、指針の選択および位置合わせは、リューズ５を２段目に引き出した場合等、１つの引き出し位置でのみ行われていたが、リューズ５の２つ以上の引き出し位置で前記指針選択および位置合わせを行えるようにしてもよい。例えば、修正対象の指針（ステップモータ）が６個等と多数ある場合に、リューズを所定の引き出し位置にした際に、その内の３個の指針（ステップモータ）を修正でき、他の引き出し位置にした際に、残りの３個の指針（ステップモータ）を修正できるようにしてもよい。この場合には、ひとつの引き出し位置ですべての指針を選択する場合に比べて、修正対象の指針（ステップモータ）を選択するためのボタン操作を少なくでき、その点では操作性を向上できるという利点がある。
【００７４】
さらに、前記指針式電子時計１では、クロノグラフ機能とアラーム機能とを組み込んでいたが、ワールドタイム機能や高度計等の他の機能を新たに組み込んでもよいし、クロノグラフ機能やアラーム機能の代わりに他の機能を組み込んでもよく、組み込む機能は実施にあたって適宜設定すればよい。例えば、指針によって値を表示するセンサ機能としては、高度計、水深計、圧力計（水圧等）、太陽電池やボタン電池等の充電（残存）電力量の測定器、電波時計等における受信電波強度の測定器等の各種センサ機能を適宜選択して組み込むことができる。特に、本発明では、ボタン６，７等の外部操作部材の数を抑えることができるため、その分、多くの機能を組み込むことができる。
【００７５】
また、前記実施形態では、選択した指針１５〜１８を把握するための所定の移動動作として、指針を１周させていたが、例えば、２周以上回転するようにしてもよいし、ボタン７で位置合わせ操作を行うか、ボタン６で他の指針を選択するまで指針の回転を継続するようにしてもよい。さらには、指針を回転させずに、一定角度で往復移動するようにしてもよく、これらの移動動作は実施にあたって適宜設定すればよい。
【００７６】
また、アラーム針においては、アラーム時針１７を１周させるために、アラーム分針１８を１２周させていたが、これらの各指針１７，１８は連動して移動するため、アラーム分針１８を１周させるようにしてもよい。但し、この場合は、アラーム時針１７は元の位置からずれてしまうため、前記実施形態のように、アラーム時針１７を１周（アラーム分針は１２周）させるほうが好ましい。
【００７７】
さらに、選択対象の指針（ステップモータ）が２種類程度と少ない場合等では、前記所定の移動動作は必ずしも設ける必要はないが、設ければ選択されている指針を把握し易いという利点がある。
また、外部操作部材としては、押しボタン６，７に限らず、１方向に倒すレバータイプや、円盤状のダイヤル式のものなどでもよく、外部操作部材の具体的な構造や形状などは、時計のデザインなどに応じて適宜設定すればよい。
【００７８】
本発明を実現する主要な機能であるスイッチ制御部７０、分ＣＧ針駆動制御部４０、１／５秒ＣＧ針駆動制御部５０、アラーム針駆動制御部６０などについては、図５に示すような各種論理素子等のハードウェアで構成されたものに限らず、指針式電子時計１内にＣＰＵ（中央処理装置）、メモリ（記憶装置）等を備えたコンピュータを設け、このコンピュータに所定のプログラムを組み込んで前記各機能を実現させるように構成してもよい。
【００７９】
例えば、指針式電子時計１内にＣＰＵやメモリを配置してコンピュータとして機能できるように構成しておき、インターネット等の通信手段やＣＤ−ＲＯＭ、メモリカード等の記録媒体を介して、本発明に基づく制御プログラムをインストールすることができる。そして、このインストールされたプログラムでＣＰＵ等を動作させて、分ＣＧ針駆動制御部４０、１／５秒ＣＧ針駆動制御部５０、アラーム針駆動制御部６０、スイッチ制御部７０などの各機能を実現させるようにしてもよい。
【００８０】
この際、指針式電子時計１内に制御プログラムをインストールするには、その電子機器にメモリカードやＣＤ−ＲＯＭ等を直接差し込んで行ってもよいし、これらの記憶媒体を読みとる機器を外付けで電子機器に接続してもよい。さらには、ＬＡＮケーブル、電話線等を電子機器に接続して通信によってプログラムを供給しインストールしてもよいし、外部からの無線通信によって内部の受信機およびメモリに制御プログラムを供給してインストールしてもよい。
【００８１】
このように、記録媒体やインターネット等の通信手段で提供される本発明の制御プログラムを指針式電子時計に組み込めば、前記実施形態に説明した修正操作機能をソフトウェアにより提供できるため、機能の変更等が容易である。更に、既に市場に提供された時計についてもプログラム差替え等により機能改訂を容易に行うことができる。
【００８２】
【発明の効果】
以上に述べたように、本発明の指針式電子時計によれば、指針の数が増えた場合でも、スイッチ等の外部操作部材の数を増加させる必要が無く、修正操作も容易に行うことができる。
【図面の簡単な説明】
【図１】本発明の実施形態における指針式電子時計の文字盤部分を示す正面図である。
【図２】本実施形態の指針式電子時計の制御系を示すブロック図である。
【図３】本実施形態の駆動制御回路の構成を示すブロック図である。
【図４】本実施形態の駆動制御回路の要部を示すブロック図である。
【図５】本実施形態の１／５秒ＣＧ針駆動制御部の構成を示すブロック図である。
【図６】本実施形態の指針式電子時計の機能の操作方法を示す図である。
【図７】本実施形態における指針の位置合わせ操作を示すタイミングチャートである。
【図８】本発明の変形例における指針の位置合わせ操作を示すタイミングチャートである。
【符号の説明】
１      指針式電子時計
５      外部操作部材であるリューズ
６，７      外部操作部材であるボタン
１１      時針
１２      分針
１３      小秒針
１５      １／５秒ＣＧ針
１６      分ＣＧ針
１７      アラーム時針
１８      アラーム分針
２０      駆動制御回路
２０２    指針選択手段
２０３    指針位置合わせ手段
２０４    選択対象表示手段
２０５    標準選択手段
２０６    選択切替手段
２１〜２４      駆動パルス発生回路
２５〜２８      モータドライバ
２９      アラーム音発生回路
３０      アラームドライバ
３１      水晶発振回路
３４      論理緩急回路
３６      分アラームカウンタ
３７      １２時間検出カウンタ
４０      分ＣＧ針駆動制御部
４１      分ＣＧカウンタ
４２      分ＣＧ針０位置カウンタ
４３      第１ラッチ回路
４４      第１一致回路
４５      第１制御回路
５０      １／５秒ＣＧ針駆動制御部
５１      １／５秒ＣＧカウンタ
５２      １／５秒ＣＧ針０位置カウンタ
５３      第２ラッチ回路
５４      第２一致回路
５５      第２制御回路
６０      アラーム針駆動制御部
６１      分・時アラームカウンタ
６２      分・時アラーム針０位置カウンタ
６３      第３ラッチ回路
６４      第３一致回路
６５      第３制御回路
７０      スイッチ制御部
７０１    リューズ位置検出部
７０２    スイッチＡ検出部
７０３    スイッチＢ検出部
８０      リセット処理部
８２      フリップフロップ
８３      ＡＮＤゲート
８５      信号発生部
【図１】
0003633512.tif 000002
【図２】
0003633512.tif 000003
【図３】
0003633512.tif 000004
【図４】
0003633512.tif 000005
【図５】
0003633512.tif 000006
【図６】
0003633512.tif 000007
【図７】
0003633512.tif 000008
【図８】
0003633512.tif 000009